(57)【要約】【課題】  移動先で放送番組の放送日時が変わった場合でもユーザが所望の放送番組を視聴できる「ディジタル放送受信装置、放送番組表示方法および放送番組録画方法」を提供する。【解決手段】  ディジタル放送を受信するディジタル放送受信装置１において、第１の放送局Ａの番組情報を記憶する受信データメモリ１４と、第１の放送局Ａの番組情報に基づき番組ガイド表を作成し、操作部１３の操作により第１の放送局Ａの放送波が受信できない第２の地域（ｂ）で番組ガイド表の中から視聴する放送番組が選択された際に、第２の放送局Ｂの番組情報を取得して視聴する放送番組が第２の放送局Ｂで第１の放送局Ａとは異なる日時に放送されるか否かを判断する制御部と、視聴する放送番組が第２の放送局Ｂで第１の放送局Ａとは異なる日時に放送される場合、視聴する放送番組が第２の放送局Ｂで放送される日時を表示する表示部１２とを備える。【選択図】        図２
2005151272.tif 000002
【特許請求の範囲】
【請求項１】
ディジタル放送を受信するディジタル放送受信装置において、
第１の放送局の番組情報を記憶する記憶手段と、
前記第１の放送局の番組情報に基づき番組ガイド表を作成する作成手段と、
所定の選択手段により前記第１の放送局の放送波が受信できない地域で前記番組ガイド表の中から視聴する放送番組が選択された際に、第２の放送局の番組情報を取得して前記視聴する放送番組が前記第２の放送局で前記第１の放送局とは異なる日時に放送されるか否かを判断する制御手段と、
前記視聴する放送番組が前記第２の放送局で前記第１の放送局とは異なる日時に放送される場合、前記視聴する放送番組が前記第２の放送局で放送される日時を報知する報知手段とを備えることを特徴とするディジタル放送受信装置。
【請求項２】
ディジタル放送を受信するディジタル放送受信装置において、
前記第１の放送局で放送される放送番組の録画予約の日時を記憶するメモリと、
前記第１の放送局の放送波が受信できない地域に移動した際、第２の放送局の番組情報を取得して前記録画予約された放送番組が前記第２の放送局で前記第１の放送局とは異なる日時に放送されるか否かを判断し、前記録画予約された放送番組が前記第２の放送局で前記第１の放送局とは異なる日時に放送される際に、前記メモリに記憶された放送番組の録画予約の日時を前記録画予約された放送番組が前記第２の放送局で放送される日時に変更する制御手段とを備えることを特徴とするディジタル放送受信装置。
【請求項３】
前記ディジタル放送受信装置は更に、前記メモリに記憶された放送番組の録画予約の日時を前記録画予約された放送番組が前記第２の放送局で放送される日時に変更する際に、変更後の日時を表示する表示手段を備えることを特徴とする請求項２記載のディジタル放送受信装置。
【請求項４】
ディジタル放送を受信して放送番組を表示するステップを有する放送番組表示方法において、
第１の放送局の番組情報を記憶する記憶ステップと、
前記第１の放送局の番組情報に基づき番組ガイド表を作成するステップと、
前記第１の放送局の放送波が受信できない地域で前記番組ガイド表の中から視聴する放送番組が選択された際に、第２の放送局の番組情報を取得して前記視聴する放送番組が前記第２の放送局で前記第１の放送局とは異なる日時に放送されるか否かを判断する判断ステップと、
前記視聴する放送番組が前記第２の放送局で前記第１の放送局とは異なる日時に放送される際に、前記視聴する放送番組が前記第２の放送局で放送される日時を報知する報知ステップとを有することを特徴とする放送番組表示方法。
【請求項５】
ディジタル放送を受信して放送番組を録画するステップを有する放送番組録画方法において、
第１の放送局で放送される放送番組の録画予約の日時を所定のメモリに記憶する記憶ステップと、
前記第１の放送局の放送波が受信できない地域に移動した際に、第２の放送局の番組情報を取得して前記録画予約された放送番組が前記第２の放送局で前記第１の放送局とは異なる日時に放送されるか否かを判断し、前記録画予約された放送番組が前記第２の放送局で前記第１の放送局とは異なる日時に放送される際に、前記メモリに記憶された放送番組の録画予約の日時を前記録画予約された放送番組が前記第２の放送局で放送される日時に変更するステップとを有することを特徴とする放送番組録画方法。
【請求項６】
前記放送番組録画方法は更に、前記メモリに記憶された放送番組の録画予約の日時を前記録画予約された放送番組が前記第２の放送局で放送される日時に変更する際に、変更後の日時を所定の表示手段に表示するステップを有することを特徴とする請求項５記載の放送番組録画方法。
【発明の詳細な説明】
【技術分野】
【０００１】
本発明は、ディジタル放送受信装置、放送番組表示方法および放送番組録画方法に関する。
【背景技術】
【０００２】
最近、ＣＳ放送、ＢＳ放送、地上波ディジタル放送等のディジタル放送が開始されている。これらのディジタル放送を受信する受信機は、家庭用（テレビジョン受像機、パーソナルコンピュータ等）、車載用（ナビゲーション装置等）、携帯用（携帯電話、ＰＨＳ（Personal Handyphone System）、ＰＤＡ（Personal Digital Assistants）等）への適用が見込まれている。
【０００３】
このディジタル放送には、放送番組を構成する映像データや音声データの他に、各種の内容を表す情報データも含まれている。その情報データの１つに、放送内容を視聴者に伝えるための付帯情報であるＥＰＧ（Electric Program Guide）データが存在する。また、ディジタル放送では、従来のアナログ放送に比べてチャンネル数が膨大となり、多くのチャンネルの中から関心のある放送番組を選択する必要がある。そのため、番組名、番組内容、番組開始時間、番組終了時間その他の情報を内容とするＥＰＧデータが、放送番組の付帯情報として放送されている。
【０００４】
しかし、地上波ディジタル放送では、放送局（地域）により放送内容に違いが有るため、旅行等で他地域に移動し、例えば地元で毎週視聴している「Ａテレビの月曜９時のドラマ」を視聴しようとした場合、系列局を指定してもその局で放送されていない、もしくは放送時間帯が違うなどの理由により視聴できないという問題がある。このような問題点を解決する従来技術として特許文献１記載のＥＰＧ情報配信システムが提案されている。
特許文献１記載のＥＰＧ情報配信システムは、サーバが移動端末の位置情報に基づいてＥＰＧ情報を生成し、このＥＰＧ情報を移動端末に送信するというものである。これにより、移動端末では移動先の放送局の選局情報を入手することができるというものである。
【０００５】
【特許文献１】特開２００３−１５８７３０号公報
【発明の開示】
【発明が解決しようとする課題】
【０００６】
しかしながら、特許文献１記載のシステムでは、移動端末側で移動先の放送局の選局情報を容易に入手することができるものの、サーバが移動端末の位置情報に基づいてＥＰＧ情報を生成し、このＥＰＧ情報を移動端末に送信するようにしているため、通常の放送システムに加えてサーバが別途必要になるという問題がある。
【０００７】
そこで、本発明はこれらの問題を解決するためになされたもので、ＥＰＧ情報を生成するサーバを設けることなく、移動先で放送番組の放送日時が変わった場合でもユーザが所望の放送番組を視聴できるディジタル放送受信装置、放送番組表示方法および放送番組録画方法を提供することを目的とする。
【課題を解決するための手段】
【０００８】
上記課題を解決するために、本発明のディジタル放送受信装置は、ディジタル放送を受信するディジタル放送受信装置において、第１の放送局の番組情報を記憶する記憶手段と、前記第１の放送局の番組情報に基づき番組ガイド表を作成する作成手段と、所定の選択手段により前記第１の放送局の放送波が受信できない地域で前記番組ガイド表の中から視聴する放送番組が選択された際に、第２の放送局の番組情報を取得して前記視聴する放送番組が前記第２の放送局で前記第１の放送局とは異なる日時に放送されるか否かを判断する制御手段と、前記視聴する放送番組が前記第２の放送局で前記第１の放送局とは異なる日時に放送される場合、前記視聴する放送番組が前記第２の放送局で放送される日時を報知する報知手段とを備えることを特徴とする。
【０００９】
本発明によれば、移動地域においてユーザが視聴しようとした番組が、その地域局の番組編成の都合で視聴できない場合、その地域で視聴しようとした番組が何曜日の何時に放送されるかを知ることができ、戸惑うことなく自宅の録画装置に記録させることや、所望の番組が放送される曜日・時間を予約することができる。よって、従来必要であったＥＰＧ情報を生成するサーバを設けることなく、移動先で放送番組の放送日時が変わった場合でもユーザが所望の放送番組を視聴できる。
【００１０】
また、本発明のディジタル放送受信装置は、ディジタル放送を受信するディジタル放送受信装置において、前記第１の放送局で放送される放送番組の録画予約の日時を記憶するメモリと、前記第１の放送局の放送波が受信できない地域に移動した際、第２の放送局の番組情報を取得して前記録画予約された放送番組が前記第２の放送局で前記第１の放送局とは異なる日時に放送されるか否かを判断し、前記録画予約された放送番組が前記第２の放送局で前記第１の放送局とは異なる日時に放送される際に、前記メモリに記憶された放送番組の録画予約の日時を前記録画予約された放送番組が前記第２の放送局で放送される日時に変更する制御手段とを備えることを特徴とする。
【００１１】
本発明によれば、第２の放送局で録画予約した放送番組が第１の放送局と異なる日時に行われる場合に、録画予約の日時を録画予約した放送番組が第２の放送局で放送される日時に変更するようにしたので、ユーザが録画予約を変更することなく希望の番組を録画できる。よって、移動先で放送番組の放送日時が変わった場合でもユーザが所望の放送番組を視聴できる。
【００１２】
また、本発明は、上記構成において、更に、前記メモリに記憶された放送番組の録画予約の日時を前記録画予約された放送番組が前記第２の放送局で放送される日時に変更する際に、変更後の日時を表示する表示手段を備えることを特徴とする。本発明によれば、録画予約の変更後の日時をユーザに知らせることができる。
【００１３】
また、本発明の放送番組表示方法は、ディジタル放送を受信して放送番組を表示するステップを有する放送番組表示方法において、第１の放送局の番組情報を記憶する記憶ステップと、前記第１の放送局の番組情報に基づき番組ガイド表を作成するステップと、前記第１の放送局の放送波が受信できない地域で前記番組ガイド表の中から視聴する放送番組が選択された際に、第２の放送局の番組情報を取得して前記視聴する放送番組が前記第２の放送局で前記第１の放送局とは異なる日時に放送されるか否かを判断する判断ステップと、前記視聴する放送番組が前記第２の放送局で前記第１の放送局とは異なる日時に放送される際に、前記視聴する放送番組が前記第２の放送局で放送される日時を報知する報知ステップとを有することを特徴とする。
【００１４】
本発明によれば、移動地域においてユーザが視聴しようとした番組が、その地域局の番組編成の都合で視聴できない場合、その地域で視聴しようとした番組が何曜日の何時に放送されるかを知ることができ、戸惑うことなく自宅の録画装置に記録させることや、所望の番組が放送される曜日・時間を予約することができる。よって、移動先で放送番組の放送日時が変わった場合でもユーザが所望の放送番組を視聴できる。
【００１５】
また、本発明の放送番組録画方法は、ディジタル放送を受信して放送番組を録画するステップを有する放送番組録画方法において、第１の放送局で放送される放送番組の録画予約の日時を所定のメモリに記憶する記憶ステップと、前記第１の放送局の放送波が受信できない地域に移動した際に、第２の放送局の番組情報を取得して前記録画予約された放送番組が前記第２の放送局で前記第１の放送局とは異なる日時に放送されるか否かを判断し、前記録画予約された放送番組が前記第２の放送局で前記第１の放送局とは異なる日時に放送される際に、前記メモリに記憶された放送番組の録画予約の日時を前記録画予約された放送番組が前記第２の放送局で放送される日時に変更するステップとを有することを特徴とする放送番組録画方法。
【００１６】
本発明によれば、第２の放送局で録画予約した放送番組が第１の放送局と異なる日時に行われている場合に、録画予約の日時を録画予約した放送番組が第２の放送局で放送される日時に変更するようにしたので、録画予約を変更する必要がない。
【００１７】
また、本発明は、上記構成において、更に、前記メモリに記憶された放送番組の録画予約の日時を前記録画予約された放送番組が前記第２の放送局で放送される日時に変更する際に、変更後の日時を所定の表示手段に表示するステップを有することを特徴とする。本発明によれば、変更後の日時をユーザに知らせることができる。
【発明の効果】
【００１８】
本発明によれば、ＥＰＧ情報を生成するサーバを設けることなく、移動先で放送番組の放送日時が変わった場合でもユーザが所望の放送番組を視聴できるディジタル放送受信装置、放送番組表示方法および放送番組録画方法を提供できる。
【発明を実施するための最良の形態】
【００１９】
以下、本発明を実施するための最良の形態について説明する。
【実施例１】
【００２０】
図１は本実施例のディジタル放送受信装置の概略を説明するための図である。符号Ａは第１の放送局、Ｂは第２の放送局、（ａ）は第１の放送局Ａの放送波が受信できる第１の地域、（ｂ）は第２の放送局Ｂの放送波が受信できる第２の地域をそれぞれ示している。第２の地域（ｂ）では第１の放送局Ａの放送波は受信することができない。第１実施例では、ディジタル放送受信装置１が第１の地域（ａ）から第２の地域（ｂ）に移動した場合、ユーザが視聴しようとした番組が、第２の放送局Ｂの番組編成の都合で視聴できない場合、第２の地域（ｂ）で視聴しようとした番組が何曜日の何時に放送されるかを知ることができるようにしたものである。
【００２１】
図２は本実施例に係るディジタル放送受信装置のブロック図である。図２に示すように、ディジタル放送受信装置１は、受信アンテナ２、ＲＦ信号復調部３、ベースバンド信号復調部４、データ分離部５、制御部６、オーディオ信号デコード部７、ビデオ信号デコード部８、アンプ９、スピーカ１０、画像合成部１１、表示部１２、操作部１３、受信データメモリ１４、時計１５、録画予約メモリ１６を有する。
【００２２】
このディジタル放送受信装置１は、ディジタル放送を受信し、例えば自動車に搭載され、第１の地域（ａ）から第２の地域（ｂ）に移動されて利用されるものである。受信アンテナ２は、地上からのディジタル放送や衛星からのディジタル放送を受信する。
【００２３】
ＲＦ信号復調部３は、高周波増幅回路３１、周波数変換回路３２、中間周波数増幅回路３３等を含んで構成され、受信アンテナ２で受信したディジタル放送信号から所望の受信チャンネル情報を抽出する。高周波増幅回路３１は、受信アンテナ２が受信したディジタル放送信号に対して高周波増幅を行い、増幅後の放送信号を出力する。周波数変換回路３２は、高周波増幅回路３１から出力される増幅後の放送信号と所定周波数の発振信号とを混合することにより、放送信号の周波数を変換した中間周波信号を出力する。中間周波数増幅回路３３は、周波数変換回路３２から出力される中間周波信号を増幅し、同調動作を行う。
【００２４】
ベースバンド信号復調部４は、信号復調回路４１、誤り訂正回路４２などを含んで構成されている。信号復調回路４１は、ＲＦ信号復調部３から出力された信号をディジタルデータに変換した後、所定の復調処理を行う。誤り訂正回路４２は、信号復調回路より出力された受信データに対して所定の誤り訂正処理を行うことにより、複数のチャンネル情報を含むチャンネルデータを復元する。
【００２５】
データ分離部５は、ベースバンド信号復調部４より出力されるチャンネルデータ中から、放送番組と、その付帯情報とを乗せたパケット信号を取り出し、音声データ、映像データ、情報データ（番組名、番組内容、番組開始時間、番組終了時間、カテゴリ、出演者、曲名等の番組情報を内容とするＥＰＧデータ、系列局情報を含む）をそれぞれ分離する。なお、地上波ディジタルＴＶ放送においては、放送波に約１週間先の番組情報と系列情報が重畳されている。
【００２６】
制御部６は、ディジタル放送受信装置の全体を制御しながら各種処理を行う。オーディオ信号デコード部７は、データ分離部５から出力される音声データに対して所定のデコード処理を行い、例えばＰＣＭ（Ｐｕｌｓｅ  Ｃｏｄｅ  Ｍｏｄｕｌａｔｉｏｎ：パルス符号変調）音声信号を生成して出力する。このＰＣＭ音声信号は、アンプ９によって所定の増幅率で増幅され、スピーカ１０から出力される。ビデオ信号デコード部８は、データ分離部５から出力され映像データに対して所定のデコード処理を行い、例えばＮＴＳＣ（Ｎａｔｉｏｎａｌ  Ｔｅｌｅｖｉｓｉｏｎ  ｓｙｓｔｅｍ  ｃｏｍｍｉｔｔｅｅ）映像信号を生成して出力する。このＮＴＳＣ映像信号は、画像合成部１１によってテキストデータ等と合成された後、表示部１２に出力される。
【００２７】
表示部１２は、所定の画像を表示するものであり、例えば、録画予約メモリ１６に記憶された放送番組の録画予約の日時を録画予約された放送番組が第２の放送局Ｂで放送される日時に変更する際に、変更後の日時を表示する。操作部１３は、例えば、チャンネル切り替え操作、録画予約操作、電子番組表を参照して所望する放送番組を選択する操作等を行うための各種キーを備えている。
【００２８】
受信データメモリ１４は、データ分離部５によって分離された情報データ中のＥＰＧデータを記憶する。この受信データメモリ１４は、第１の放送局Ａの番組情報および第２の放送局Ｂの番組情報を記憶する。時計１５は、現在時刻を計時する。録画予約メモリ１６は、放送番組の録画予約に関する情報を記憶するものであり、例えば第１の放送局Ａで放送される放送番組の録画予約の日時を記憶する。なお、特許請求の範囲における記憶手段、作成手段、選択手段、制御手段、メモリ、表示手段がそれぞれ受信データメモリ１４、制御部６、操作部１３、制御部６、録画予約メモリ１６、表示部１２に対応する。
【００２９】
次に、ディジタル放送受信装置１の動作について説明する。図３は本実施例に係るディジタル放送受信装置の動作フローチャートである。ステップＳ１１で、ディジタル放送受信装置１が主に利用される第１の地域（ａ）の受信可能な各局の番組情報を取得する。つまり、ディジタル放送受信装置１のＲＦ信号復調部３は、受信アンテナ２で受信した地上波ディジタル放送信号から所望の受信チャンネル情報を抽出し、ベースバンド信号復調部４は復調処理、所定の誤り訂正処理を行い、チャンネルデータを復元し、データ分離部５は受信チャンネル情報から番組情報を内容とするＥＰＧデータを分離し、制御部６はこのＥＰＧデータを受信データメモリ１４へ記録する。
【００３０】
ステップＳ１２で、ディジタル放送受信装置１は、第１の地域（ａ）から第２の地域（ｂ）に移動する。制御部６は、ユーザの要求に応じて第１の放送局Ａの番組情報に基づき番組ガイド表を作成し、画像合成部１１を介して番組ガイド表を表示部１２に表示する。図４は第１の放送局Ａに基づく月曜日の番組ガイド表を示す図である。ユーザは、図４に示すような月曜日の番組ガイド表を見ながら、「Ａテレビの月曜日９時のドラマ」を視聴するために操作部１３を操作してＡテレビ系列の放送局を選局する。
【００３１】
ステップＳ１３で、ディジタル放送受信装置１のＲＦ信号復調部３は、受信アンテナ２で受信した地上波ディジタル放送信号から所望の受信チャンネル情報を抽出し、ベースバンド信号復調部４は復調処理、所定の誤り訂正処理を行い、チャンネルデータを復元し、データ分離部５は受信チャンネル情報から番組情報を内容とするＥＰＧデータを分離し、第２の放送局Ｂの受番組名情報を取得することができる。
【００３２】
ステップＳ１４で、制御部６は、受信データメモリ１４に記憶されているＥＰＧデータを参照し、取得した番組名が同時刻の系列局の番組名（Ａテレビの月曜日９時のドラマの番組名）と一致するかどうかを判断する。ステップＳ１４で、制御部６は、取得した番組名が同時刻の系列局の番組名（Ａテレビの月曜日９時のドラマの番組名）と一致すると判断した場合、処理を終了する。
【００３３】
このため、データ分離部５で分離されたオーディオデータは、オーディオ信号デコード部７でデコードされ、このデコードされたオーディオデータはアンプ９で増幅され、増幅されたオーディオデータがスピーカから音声として出力される。また、データ分離部５で分離された映像データは、ビデオ信号デコード部８でデコードされ、デコードされたビデオ信号は画像合成部１１を介して、表示部１２で表示される。これにより、ユーザは、通常通り「Ａテレビの月曜日９時のドラマ」を視聴することができる。
【００３４】
ステップＳ１４で、制御部６は、取得した番組名が同時刻の系列局の番組名（Ａテレビの月曜日９時のドラマの番組名）と一致しないと判断した場合、ステップＳ５に進み、制御部６は、受信データメモリ１４に記憶されているＥＰＧデータ（第２の放送局Ｂの番組情報）を参照して視聴する放送番組「Ａテレビの月曜日９時のドラマ」が第２の放送局Ｂで放送されるか否かを判断する。
【００３５】
ステップＳ１５で、制御部６は、視聴する放送番組「Ａテレビの月曜日９時のドラマ」が第２の放送局Ｂで放送されると判断した場合、ステップＳ１６に進み、視聴する放送番組「Ａテレビの月曜日９時のドラマ」が第２の放送局Ｂで放送される日時をスピーカや表示部１２を介して報知する。
【００３６】
図５は、移動された番組の放送日時の表示例を示す図である。ユーザは、図５に示すような「Ａテレビの月曜日９時からのドラマはこの地域では火曜日９時から放送されます。」という表示を見ることにより視聴する放送番組の移動先を知ることができる。このため、戸惑うことなく自宅の録画装置に記録させることや、所望の番組が放送される曜日・時間を予約することができる。
【００３７】
ステップＳ１５で、制御部６は、この地域で視聴する放送番組「Ａテレビの月曜日９時のドラマ」が放送されていないと判断した場合、ステップＳ７へ進み、現在の地域では視聴する放送番組「Ａテレビの月曜日９時のドラマ」は放送されていない旨を示す情報を画像合成部１１へ出力する。図６は、視聴する放送番組「Ａテレビの月曜日９時のドラマ」が放送されないことを示す際の表示例である。ユーザは図６に示すような「Ａテレビの月曜日９時のドラマはこの地域では放送されておりません。」という表示を見ることにより自宅への録音指示等を行うことができる。
【００３８】
以上、本実施例によれば、第２の放送局Ｂの番組編成の都合により視聴する放送番組が視聴できない場合でも、第２の地域（ｂ）で視聴しようとした放送番組が何曜日の何時に放送されるかを知ることができため、戸惑うことなく自宅の録画装置に記録させることや、所望の番組が放送される曜日・時間を予約することができる。
【実施例２】
【００３９】
次に第２実施例について説明する。なお、第２実施例に係るディジタル放送受信装置は、第１実施例に係るディジタル放送受信装置と同一構成であるため、第１実施例で説明したディジタル放送受信装置１を用いて説明する。図６は第２実施例に係るディジタル放送受信装置の動作フローチャートである。ステップＳ２１で、ディジタル放送受信装置１は第１の地域（ａ）で、第１の放送局Ａの放送番組の録画予約を受け付ける。
【００４０】
つまり、制御部６は、受信データメモリ１４に記憶される第１の放送局Ａの番組情報を読出して番組ガイド表を作成し、画像合成部１１へ出力し、第１の放送局Ａの番組ガイド表を表示部１２に表示する。ユーザは表示部１２に表示されている第１の放送局Ａの番組ガイド表を見ながら操作部１３を操作して目的の放送番組の録画予約を行う。制御部６は目的の放送番組の録画予約の日時等を含む設定値を録画予約メモリ１６に格納する。
【００４１】
ステップＳ２２で、ディジタル放送受信装置１は、自動車等の移動と共に、第１の地域（ａ）から第１の放送局Ａの放送波が受信できない第２の地域（ｂ）に移動する。ステップＳ２３で、ディジタル放送受信装置１は、第２の地域（ｂ）で第２の放送局Ｂの番組情報を取得する。つまり、ディジタル放送受信装置１のＲＦ信号復調部３は、受信アンテナ２で受信した地上波ディジタル放送信号から所望の受信チャンネル情報を抽出し、ベースバンド信号復調部４は復調処理、所定の誤り訂正処理を行い、チャンネルデータを復元し、データ分離部５は受信チャンネル情報から番組情報を内容とする第２の放送局ＢのＥＰＧデータを分離し、制御部６は放送局ＢのＥＰＧデータを受信データメモリ１４へ記録する。
【００４２】
ステップＳ２４で、制御部６は、第２の放送局Ｂの番組情報を参照して第２の放送局Ｂからの放送波を受信して録画を行う場合でも録画予約の内容に変更がないかどうかを判断し、録画予約の内容に変更がないと判断した場合、処理を終了する。これにより、以前にした録画予約のまま目的の放送番組を録画することができる。
【００４３】
ステップＳ２４で、制御部６は、録画予約に変更が必要な場合、ステップＳ２５に進み、制御部６は、受信データメモリ１４の第２の放送局ＢのＥＰＧデータを参照して録画予約された放送番組が第２の放送局Ｂで第１の放送局Ａとは異なる日時に放送されるか否かを判断し、録画予約した放送番組が第２の放送局Ｂで第１の放送局Ａとは異なる日時に放送される場合、ステップＳ２６に進み、録画予約メモリ１６に記憶された放送番組の録画予約の日時を録画予約された放送番組が第２の放送局Ｂで放送される日時に変更する。ステップＳ２５で、制御部６は録画予約した放送番組が放送されていないと判断した場合、ステップＳ２７で現在の地域では放送がないことを画像合成部１１、表示部１２を介してユーザに案内して処理を終了する。
【００４４】
第２実施例によれば、第２の放送局Ｂで録画予約した放送番組が第１の放送局Ａと異なる日時に行われる場合に、録画予約の日時を録画予約した放送番組が第２の放送局Ｂで放送される日時に変更するようにしたので、ユーザが録画予約を変更することなく希望の番組を録画できる。よって、移動先で放送番組の放送日時が変わった場合でもユーザが所望の放送番組を視聴できる。
【００４５】
以上、本発明の好ましい実施例について詳述したが、本発明は係る特定の実施例に限定されるものではなく、特許請求の範囲に記載された本発明の要旨の範囲内において、種々の変形・変更が可能である。例えば、上記実施例ではテレビ放送を例にとって説明したが本発明はこれに限定されることなく、ラジオ放送に適用することができる。
【図面の簡単な説明】
【００４６】
【図１】本実施例のディジタル放送受信装置の概略を説明するための図である。
【図２】本実施例に係るディジタル放送受信装置のブロック図である。
【図３】第１実施例に係るディジタル放送受信装置の動作フローチャートである。
【図４】第１の放送局Ａに基づく月曜日の番組ガイド表を示す図である。
【図５】移動された放送番組の放送日時の表示例を示す図である。
【図６】番組「Ａテレビの月曜日９時のドラマ」が放送されないことを示す表示例を示す図である。
【図７】第２実施例に係るディジタル放送受信装置の動作フローチャートである。
【符号の説明】
【００４７】
１  ディジタル放送受信装置
２  受信アンテナ
３  ＲＦ信号復調部
４  ベースバンド信号復調部
５  データ分離部
６  制御部
１６  録画予約メモリ
【図１】
2005151272.tif 000003
【図２】
2005151272.tif 000004
【図３】
2005151272.tif 000005
【図４】
2005151272.tif 000006
【図５】
2005151272.tif 000007
【図６】
2005151272.tif 000008
【図７】
2005151272.tif 000009